(57)【要約】【課題】組立強度を維持して組立性がよい連結パネル及びこれを用いて拡張性、汎用性の高い連結パネル構造体を提供する。【解決手段】  一端側に対向面がテーパー面２ａと平行面２ｂとで囲まれた先細り状の連結突部２を有し、他端側に連結突部２が嵌め込まれる嵌合孔１ａが形成された支柱１の該嵌合孔１ａに交差するように貫通する第１貫通孔１ｂ、及び連結突部２の平行面２ｂどうしを貫通する第２貫通孔２ｃが形成された一対の支柱１どうしが複数枚のルーバー３により連結されている。【選択図】図１
2013060727.tif 000002
【特許請求の範囲】
【請求項１】
複数枚のパネルを互いに組み合わせて用いられる連結パネルであって、
支柱の一端側に対向する面が一対のテーパー面と一対の平行面とで囲まれた先細り状の連結突部を有し、他端側に前記連結突部と同様の他の連結突部が嵌合可能な嵌合孔が形成され、前記嵌合孔に交差するように貫通する第１貫通孔が形成され前記連結突部の平行面どうしを貫通する第２貫通孔が各々形成された一対の支柱どうしが複数枚のルーバ若しくは壁面により連結されている連結パネル。
【請求項２】
前記支柱は金属性角型パイプにより形成されている請求項１記載の連結パネル。
【請求項３】
請求項１又は２記載の連結パネルの連結突部が嵌め込まれる嵌合孔が一端側に設けられ、他端側は設置底部が形成された連結脚部により、前記連結パネルが直列状若しくは交差状に連結される連結パネル構造体。
【請求項４】
請求項１又は２記載の連結パネルの支柱の他端側の嵌合孔に嵌り込む凸部が複数形成された連結部材によって複数の前記連結パネルどうしが直列状若しくは交差状に連結される連結パネル構造体。
【請求項５】
請求項１又は２記載の連結パネルの連結突部を他の連結パネルの嵌合孔に各々嵌め込んで重なり合う第１、第２貫通孔に抜け止めピンを嵌め込んで高さ方向に連結し、前記連結突部の周囲に隣り合う連結突部を挿入する挿入孔が形成された中間金具を介して複数の前記連結パネルどうしが隣接して連結されている連結パネル構造体。
【請求項６】
請求項１又は２記載の連結パネルの一端側に設けられた連結突部を、該連結突部が嵌め込まれる嵌合孔が形成され、脚部連結部により連結された脚部支柱に嵌め込まれて対向する一対の連結パネルが脚部と一体に連結されて立設され、該脚部の対向する一対の脚部連結部に交差するように床部材を架設し、前記支柱の上端に連結材を介して屋根を連結した連結パネル構造体。
【発明の詳細な説明】
【技術分野】
【０００１】
本発明は、例えばフェンス、室外機カバー、ペットサークル、収納ラックなどに用いられる連結パネル及びそれを用いた連結パネル構造体に関する。
【背景技術】
【０００２】
例えばフェンスを安価にしかも支柱への取り付けを容易にする高速道路用フェンス体が提案されている。ルーバーを形成する羽根板に一定間隔で掛止棒を格子状に組み合わせてなるフェンス体の羽根板の端部をＴ字型の支柱の連結板に重ね合わせてボルト止めして連結されたルーバーフェンスが提案されている（特許文献１）。
また、複数のスリット付桟を並列し、両端部のスリット部を棚枠と係合させ、棚枠は支持脚を貫通係止させてなるラック構造も提案されている（特許文献２参照）。
【先行技術文献】
【特許文献】
【０００３】
【特許文献１】特許第３５４０７２５号公報
【特許文献２】実用新案登録第３０３３７１９号公報
【発明の開示】
【発明が解決しようとする課題】
【０００４】
上述したフェンスやラックには、以下に述べる課題があった。
即ち、特許文献１においては、フェンス体は羽根板を係止棒に対して溶接などを用いて固着して製造されるため、製造工数や製造コストがかかるうえに、フェンス自体を設置面に据え置く構造になっていない。また、フェンス体どうしを連結するには、支柱に設けられた連結板と羽根板とを両側より位置合わせしてボルト止めする必要があり、連結作業に手間取る。
【０００５】
また、特許文献２のラック構造おいては、棚枠は支持脚を貫通して止めねじにより係止させて支持されているため、スリット桟に載置される重量も制限されるうえに、棚枠が重量に耐えきれずに落下し易く棚枠が支持脚に対してずれやすくなる。また、規定された部品による組み立てられるため、拡張性や変形使用は行い難い。
また、通気性を確保しつつ、風雨から収容物を保護する組立て性がよく、強度も十分に確保され拡張性の高い構造体が望まれている。
【０００６】
本発明の目的は、組立強度を維持して組立性がよい連結パネル及びこれを用いて拡張性、汎用性の高い連結パネル構造体を提供することにある。
【課題を解決するための手段】
【０００７】
上記目的を達成するため、本発明に係る連結パネルは、以下の構成を備える。
複数枚のパネルを互いに組み合わせて用いられる連結パネルであって、支柱の一端側に対向する面が一対のテーパー面と一対の平行面とで囲まれた先細り状の連結突部を有し、他端側に前記連結突部と同様の他の連結突部が嵌合可能な嵌合孔が形成され、前記嵌合孔に交差するように貫通する第１貫通孔が形成され前記連結突部の平行面どうしを貫通する第２貫通孔が各々形成された一対の支柱どうしが複数枚のルーバー若しくは壁面により連結されていることを特徴とする。
【０００８】
上記構成によれば、一対の支柱が複数のルーバー若しくは壁面により連結されているため、連結パネルの強度は十分であり、連結突部を嵌合孔に嵌め込むことで連結パネルを高さ方向に積み上げて連結したり、支柱の嵌合孔どうし若しくは連結突部どうしを連結することで、連結パネルを隣接して連結したりすることができるので、目的に応じた形態で連結パネルを結合して利用することができる。特に前記支柱は金属性角型パイプにより形成されているのが強度向上の点で好ましい。
【０００９】
また、上記連結パネルを用いた連結パネル構造体においては、連結パネルの連結突部が嵌め込まれる嵌合孔が一端側に設けられ、他端側は設置底部が形成された連結脚部により、前記連結パネルが直列状若しくは交差状に連結されることを特徴とする。
このように、連結脚部により連結パネルを連結して安定した状態で設置することができ、しかも任意の大きさ及び高さに連結して使用することができるため使い勝手が良い。
【００１０】
また、上記連結パネルを用いた連結パネル構造体においては、連結パネルの支柱の他端側の嵌合孔に嵌り込む凸部が複数形成された連結部材によって複数の前記連結パネルどうしが直列状若しくは交差状に連結されることを特徴とする。
このように、連結部材により連結パネルを連結して設置することができ、しかも任意の大きさ及び高さに連結して使用することができるため使い勝手が良い。
【００１１】
また、上記連結パネルを用いた連結パネル構造体においては、連結パネルの連結突部を他の連結パネルの嵌合孔に各々嵌め込んで重なり合う第１、第２貫通孔に抜け止めピンを嵌め込んで高さ方向に連結し、前記連結突部の周囲に隣り合う連結突部を挿入する挿入孔が形成された中間金具を介して複数の前記連結パネルどうしが隣接して連結されていることを特徴とする。
このように、連結パネルの連結突部を他の連結パネルの嵌合孔に嵌め込んで連結パネルを任意の高さに連結することができるうえに中間金具によって連結パネルどうしを任意の長さで隣接して連結することができるので、連結脚部を使わなくてもエアコン室外機のカバーや花壇フェンス、ペットサークル等が任意の大きさで設置することができる。
【００１２】
また、上記連結パネルを用いた連結パネル構造体においては、連結パネルの一端側に設けられた連結突部を、該連結突部が嵌め込まれる嵌合孔が形成され、脚部連結部により連結された脚部支柱に嵌め込まれて対向する一対の連結パネルが脚部と一体に連結されて立設され、該脚部の対向する一対の脚部連結部に交差するように床部材を架設し、前記支柱の上端に連結材を介して屋根を連結したことを特徴とする。
これにより、床部材に収納物を載置して風雨にさらされずかつ通気性を確保したまま収納することがきる。
【発明の効果】
【００１３】
以上説明したように、本発明によれば、組立強度を維持して組立性がよい連結パネル及びこれを用いて拡張性、汎用性の高い連結パネル構造体を提供することができる。
【図面の簡単な説明】
【００１４】
【図１】連結パネルの正面図、上視図、右側面図、ルーバーの側面図、連結突部の正面図及び右側面である。
【図２】連結パネルの連結荷重、脱着性、位置決め性を検証する説明図である。
【図３】連結部の構造を示す正面図及び側面図、連結パネルの形態を示す正面図及び側面図である。
【図４】連結脚部を用いた連結構造及び連結部材を用いた連結構造の説明図である。
【図５】中間金具を用いた連結パネルの連結構造を示す説明図である。
【図６】物置棚を形成した場合の正面図及び側面図である。
【図７】物置棚の組み立て説明図である。
【図８】図７に続く物置棚の組み立て説明図である。
【図９】図７に続く物置棚の組み立て説明図である。
【図１０】図８又は図９に続く物置棚の組み立て説明図である。
【図１１】取付金具の正面図、上視図、右側面図である。
【発明を実施するための形態】
【００１５】
本発明に係る連結パネル及びこれを用いた連結パネル構造体の実施形態について図１乃至図１１を参照して説明する。以下の実施例では、連結パネル構造体の一例として薪小屋を例示して説明するものとする。
【００１６】
まず、図１を参照して、連結パネルＰの一例について説明する。図１（Ａ）（Ｂ）において、左右一対に設けられた支柱１の一端側に対向面がテーパー面２ａと平行面２ｂとで囲まれた先細り状の連結突部２が組み付けられている。また、支柱１の他端側には連結突部２が嵌め込まれる嵌合孔１ａが形成されている。
【００１７】
一対の支柱１どうしは複数枚のルーバー３により連結されている。ルーバー３は図１（Ｄ）に示すようにパネル部３ａとその長手方向両側に設けられた溶接部３ｂを備えている。ルーバー３は、支柱１の対向面に溶接部３ｂを溶接され、パネル部３ａが鉛直方向に対して所定角度傾斜するように取り付けられている（図３（Ｃ）参照）。
【００１８】
また、連結突部２のテーパー面２ａどうしを貫通する第２貫通孔２ｃ及び平行面２ｂどうしを貫通するように第２貫通孔２ｄが各々形成されている（図１（Ｅ）（Ｆ）参照）。また、嵌合孔１ａの対向する壁面には、第２貫通孔２ｃと連通可能な位置に第１貫通孔１ｂ、第２貫通孔２ｄと連通可能な位置に第１貫通孔１ｃが各々形成されている（図３（Ａ）（Ｂ）参照）。連結突部２が嵌合孔１ａに嵌め込まれた状態で、第１貫通孔１ｂ及び第２貫通孔２ｃ若しくは第１貫通孔１ｃ及び第２貫通孔２ｄに抜け止めピン４を嵌め込むことで、連結パネルＰどうしが抜け止めされて連結される。
【００１９】
上記構成によれば、一対の支柱１の間に複数のルーバー３が連結されているため、連結パネルＰの強度は十分であり、連結突部２を嵌合孔１ａに嵌め込むことで連結パネルＰを高さ方向に積み上げて連結したり、支柱１の嵌合孔１ａどうし若しくは連結突部２どうしを連結したりすることで、隣接する連結パネルＰどうしを連結することができるので、目的に応じた形態で連結パネルＰを利用することができる。
【００２０】
次に、連結パネルＰの連結荷重、脱着性、位置決め性について図２（Ａ）〜（Ｆ）を参照して検証する。図２（Ａ）（Ｂ）に示すように、連結パネルＰにはＸ，Ｙ，Ｚ方向に荷重がかかる。図２（Ｃ）において、高さ方向に連結した連結パネルＰ１，Ｐ２には、パネル厚さ方向の荷重をＦｙとすると、テコの原理で連結突部２には大きな荷重Ｆｙ１，Ｆｙ２が発生する。しかしながら、力点・支点・作用点がほぼ一直線上に位置しているため、脱着時のＦｙを小さくすることは容易である。作業者が注意すれば連結パネルの脱着時の摩擦力をゼロとすることもできる。従って、Ｙ方向に関する連結突部２と嵌合孔１ａのＹ方向のクリアランスを小さくすることが可能となるため平行面２ｂとして耐荷重を大きくすることができる。
【００２１】
図２（Ｄ）に示すように、高さ方向に連結した連結パネルＰ１，Ｐ２には、パネル横幅方向の荷重をＦｘとすると、テコの原理で連結突部２には大きな荷重Ｆｘ１，Ｆｘ２が発生する。嵌合孔１ａとのかみ合いを避けるためには、連結突部２の先端をテーパー面２ａとして嵌合孔１ａの孔壁面とのＸ方向のクリアランスを大きくすればよい。
【００２２】
図２（Ｅ）において、高さ方向に連結した連結パネルＰ１，Ｐ２において、荷重ｘ１，Ｆｘ２に対向する面をテーパー面２ａとすると、荷重Ｆｘ２は発生せず、荷重Ｆｘ１の反対側の連結突部２に浮き上がり荷重Ｆｘ３が作用する。そこで、連結突部２と嵌合孔１ａを結合する連結手段を設ければ浮き上がり荷重Ｆｘ３を支えることができる（連結手段は黒丸で図示）。即ち、側面荷重Ｆｘは、下側の連結パネルＰ２のＦｘ１を支点として力のモーメントＦｘ３に変換され、連結により上側の連結パネルＰ１に伝達され、該連結パネルＰ１の剛性にて支えられる。図２（Ｄ）において、Ｚ方向の下向き荷重Ｆｚ＋は端面で下側の連結パネルＰ２に伝達され、荷重を受けることができる。図２（Ｆ）に示すように、浮き上がり荷重Ｆｚ−は、抜け止めピン４を介して下側の連結パネルＰ２のＦｘ１を支点として力のモーメントＦｘ３に変換され、上側の連結パネルＰ１に伝達される。
【００２３】
次に連結パネルＰの脱着性について検証する。図３（Ａ）（Ｂ）に示すように、連結パネルＰの脱着時は、抜け止めピン４を解除して脱着操作を行う。図２（Ｃ）に示すように、連結突部２のＹ方向は、作業者が注意すれば側面荷重Ｆｙをゼロとできるので摩擦力は発生しない。
【００２４】
図２（Ｅ）に示すように、連結突部２のＸ方向は、側面荷重Ｆｘが作用した場合、テーパー面２ａにより摩擦力ゼロでわずかに傾動する。連結突部２が浮き上がると、テーパー面２ａの先細り形状により突部幅は小さくなるのでクリアランスが大きくなる。よって、そのまま上方に移動すれば、上側の連結パネルＰ２を摩擦力ゼロで引き抜くことができる。また、Ｚ方向の垂直荷重は、摩擦力ゼロならば自重だけであるので容易に持ち上げることができる。尚、連結パネルＰ１に連結パネルＰ２を装着する際も同様のことが言え、Ｘ，Ｙ，Ｚとも小さな力で挿入できる。以上より連結パネルＰの重量を持ち上げるだけのわずかな力で連結パネルを脱着できる。
【００２５】
次に連結突部２と嵌合孔１ａの位置決め性について検証する。連結パネルＰどうしの位置ずれがないようにするためにはクリアランスを小さくする必要がある。Ｙ方向はクリアランスを充分に小さくすることができ実用上問題ない。また、Ｘ方向は連結突部２のテーパー面２ａの付け根（幅広部分）で位置が規制されることになり、事実上クリアランスをゼロとすることができる。Ｚ方向の垂直荷重は連結パネルＰの端面どうしが接触しているためクリアランスはゼロである。更には、浮き上がり荷重については抜け止めピン４のクリアランスで決まり、機構設計次第で容易に小さくすることができる。以上から、連結突部２と嵌合孔１ａとの間で全方向についてクリアランスを充分に小さくすることができ、位置ずれを防止できる。
【００２６】
尚、連結パネルＰどうしの連結手段は、連結突部２と嵌合孔１ａに交差して貫通する貫通孔をあけ、抜け止めボルト４やピンで固定するか、あるいはラチェット爪結合などを採用することもできる。また、パネル連結方向はＸ方向、Ｙ方向いずれも可能としてもよい。
具体的には嵌合孔１ａにＸ，Ｙ方向の２か所の貫通穴をあければよい。２方向に貫通穴を設けるのは連結パネルＰどうしを９０度の角度で交差させて連結するためである。
【００２７】
以上の工夫点を盛り込んだ連結パネルを図３（Ａ）〜図３（Ｄ）に示す。
連結パネルＰの支柱１の下部両端に連結突部２を各々設け、Ｘ方向は先端が細くなるテーパー面２ａとし、Ｙ方向は平行面２ｂで構成する（図３（Ａ）（Ｂ）参照）。連結突部２と角型支柱１は溶接により固着されており、内部には抜け止めピン４の挿通スペース２ｅが形成されている。また、連結突部２の開口側は安全カバー２ｆで閉塞されている。支柱１の上端から第１貫通孔１ｃ，１ｄまでの距離ａと、支柱１の下端から第１貫通孔２ｃ（挿通スペース２ｅ）までの距離ａは互いに等しくなるように形成されている（図３（Ｂ）（Ｄ）参照）。連結パネルＰの角型支柱１の上端に連結突部２と同ピッチで、穴径が連結突部２よりわずかに大きな嵌合孔１ａを設ける。これにより高さ方向に隣接する連結パネルＰどうしを凹凸嵌合により連結することができる。更に、連結突部２と嵌合孔１ａを結合したままあるいは解除可能な状態にするための抜け止め手段を設ける。図３（Ｂ）では抜け止めピン４と貫通穴２ｄを例示。連結方向はＸ方向又はＹ方向のいずれも可能となっている。
【００２８】
上記構成によれば、高さ方向に連結パネルＰが増設できる。後述の脚部あるいは連結金具を利用することで横方向にも拡張できる。連結パネルＰどうしの脱着がわずかな力でスムーズに行える。      
【００２９】
尚、耐荷重を上げるため支柱部分は金属製が好ましい。また、製造コストから鉄製の標準サイズ角パイプを用いる。図３（Ａ）（Ｂ）において、支柱１に作用する曲げモーメントは１０ｋｇ程度であり、外形２５ｍｍ角ではほとんど変形せず最適である。垂直荷重は積雪５０ｃｍ時で支柱当たり５０ｋｇ程度が想定され、２５ｍｍ角では座屈しない。角パイプ内が連結用の嵌合孔１ａになる。支柱１に抜け止めピン４を貫通させる第１貫通孔１ｂを都合４か所に設ける。抜け止めピン４にかかるせん断応力はマキ用ラックとすると局部的にも最大１２０ｋｇ程度と想定される。よってＭ５ネジ以上であれば耐えられ、抜け止めピン４の外径はΦ５が最適である。連結突部２は、一枚の板金をＶ字状乃至はＵ字状に折り曲げたものが用いられる。連結突部２は、支柱１である角パイプ内に挿入し溶接、リベット止めあるいはねじ止めなどにより組み付けられる。連結突部２の開口部は、安全カバーにより閉止されていることが望ましい。
【００３０】
一対の支柱１壁面は用途により材質・形状を選択できる。図３（Ｃ）（Ｄ）に示すようにルーバー３とすれば通気性が得られる。ルーバー３も金属製とし支柱１に溶接すれば高剛性化と長寿命化できる。また耐火性も得られる。また、ルーバー３に代えて平面パネルとし、表面を布や木材にするなどして意匠性や吸音性、吸湿性を盛り込むことができる。
【００３１】
また、連結パネルＰを用いた連結パネル構造体の一例を図４に示す。図４（Ａ）において、連結パネルＰの連結突部２が嵌め込まれる嵌合孔１ａが一端側に設けられ他端側は設置底部が形成された連結脚部５により、複数の連結パネルＰ１，Ｐ２どうしが直列状若しくは連結パネルＰ２と連結パネルＰ３が交差状に連結される。具体的には、連結脚部５には連結パネルＰの嵌合孔１ａと同形状・同寸法の嵌合孔５ａを複数設けられている。嵌合孔５ａを２個備えれば横方向に連結パネルＰ１，Ｐ２を増設できる。増設する連結パネルＰ３は横方向のみならず例えば９０°などに角度をつけて配置することもできる。連結脚部５には、第２貫通孔２ｃ，２ｄに連通する嵌合孔５ｃ，５ｄが設けられている。嵌合孔５ｃ，５ｄ及び第２貫通孔２ｃ，２ｄには抜け止めピン（図示せず）が嵌め込まれる。
【００３２】
また、連結脚部５の脚部底部５ｂは底面を広く設ければ自立型壁面を形成することができる。このように、連結脚部５により連結パネルＰ１〜Ｐ３を連結して安定した状態で設置することができ、しかも任意の大きさ及び高さに連結して使用することができるため使い勝手が良い。また、連結脚部５或いは脚部底部５ｂに取り付け穴を設ければ、床面や壁面あるいは天井面にボルト止めすることができる。これによりアンカーボルトで地面に固定することもできる。また、壁面に水平あるいは垂直に設置することも可能となる。あるいは連結パネルＰ１〜Ｐ３の上下を反転させて天井から吊り下げ使用を可能とする。更には、屋内のパーテーション、あるいは屋外のフェンスにも利用することができる。
【００３３】
また、図４（Ｂ）に示すように、連結パネルＰの角型支柱１の他端側の嵌合孔１ａに嵌り込む嵌合突部６ａが複数形成された連結部材６によって複数の連結パネルＰ１，Ｐ２どうしが直列状若しくは連結パネルＰ２，Ｐ３が交差状に連結されていてもよい。
これにより、連結パネルＰ１，Ｐ２の上部が整列し、耐荷重も向上する。支柱１の嵌合孔１ａに雨やほこりが侵入することを防止できる。また、連結パネルＰ１，Ｐ２，Ｐ３の連結突部２を直接、地面に打ち込み連結部材６で連結すれば整列した花壇フェンスとなる。
このように、連結部材６により連結パネルＰを連結して設置することができ、しかも任意の大きさ及び高さに連結して使用することができるため使い勝手が良い。
【００３４】
また、図５（Ｃ）は複数の連結パネルＰを高さ方向及び幅方向に連結した構造体について説明する。連結パネルＰの連結突部２を他の連結パネルＰの嵌合孔１ａに嵌め込んで重なり合う第１貫通孔１ｂ、第２貫通孔２ｃに抜け止めピン４を嵌め込んで高さ方向に連結する。また、連結突部２の周囲に隣り合う連結突部２を挿入する嵌合孔７ａが形成された中間金具７を介して複数の連結パネルＰどうしが隣り合せに連結される。図５（Ａ）に中間金具７を例示する。中間金具７は、板金に２個の連結突部を貫通させる貫通孔７ａが設けられている。これにより隣接するパネルは、中間部分でも連結され耐荷重が向上する。図５（Ｂ）に示すように中間金具７にゴム部材８（落下防止手段）を設ければ、最下段の連結突部２どうしの連結用に中間金具７を利用できる。ゴム部材８は、中間金具７に嵌め込み或いはボルトでねじ止めするなどにより装着することができる。      
【００３５】
このように、連結パネルＰの連結突部２を他の連結パネルＰの嵌合孔１ａに嵌め込んで連結パネルＰを任意の高さに連結することができるうえに中間金具７によって連結パネルＰどうしを任意に長さに隣り合せで連結することができるので、連結脚部５を使わなくてもエアコン室外機のカバーや花壇フェンス、ペットサークル等が任意の大きさで設置することができる。
【００３６】
次に図６（Ａ）（Ｂ）において、一対の脚部９を脚連結部１０により一体的に連結し、脚連結部１０に任意の長さの床部材１１を固定すれば、任意の横幅の物置棚１２を構成できる。床部材１１としてはツーバイフォー木材を図示する。ツーバイフォー木材はアングル材である床部材保持部９ａ（図７参照）を用いて脚部９に対して容易にボルト締めで固定できる。上部の支柱１の嵌合孔１ａに嵌合する取付金具１３を介して梁材や屋根材１４などをねじ止めにより組み付けることができる。これにより、風雨にさらされる屋根を固定することができる。連結パネルＰの壁面をルーバー３とすれば、防雨性と通気性を兼ね備えたパネルを実現できる。よって、例えば薪をストックする薪小屋として使用することが可能であり、雨露がかからず風が通るため乾燥が促進される。
【００３７】
また、物置棚１２の正面或いは背面をルーバー３で構成しても良いし、側面３面あるいは４面をルーバー３に代えて壁面としてもよく、各種物置として使用することができる。例えばエアコン室外機のカバーを構成でき、通気性がよく直射日光を遮り冷房効率が上がり省エネとなる。或いは大型犬用の大型ドッグハウスを容易に構成でき、夏期の通気性も確保できる。      
【００３８】
ここで、物置棚１２の組立て構造の一例について図７乃至図１１を参照して説明する。
図７において、左右一対の脚部９は、脚連結部１０により連結される。また、各脚部９の上端にはコ字状に形成された床部材保持部９ａが対向して組み付けられている。この一対の脚部９の床保持部材９ａに床部材１１の長手方向両側が保持されてねじ止めされて組み付けられる。
【００３９】
また、一対の脚部９の上端に設けられた嵌合孔９ｂには、連結パネルＰの支柱１に設けられた連結突部２が嵌め込まれる。脚部９には、連結突部２に設けられた第２貫通孔２ｃと連通する第１貫通孔９ｂが設けられている。連結突部２を嵌合孔９ｂに嵌合させた状態で抜け止めピン（ねじ）を嵌め込むことで連結パネルＰが一対の脚部９と一体に組み付けられる。組み立てた状態を図８及び図９に示す。
【００４０】
図８は、脚部９に上方向に連結パネルＰ１，Ｐ２，Ｐ３，Ｐ４を各々連結した状態を示す。連結パネルＰどうしは、前述したように、一方の連結パネルの支柱１に設けられた嵌合孔１ａに他方の連結パネルの支柱１に設けられた連結突部２を嵌め込んで抜け止めピン４を第１貫通孔１ｂ及び第２貫通孔２ｃに嵌め込むことで連結される。
【００４１】
図９は、一対の脚部９を床部材１１の長手方向両側のみならず、中間位置にも設けて、
床部材１１を長手方向に２本延設した場合を示す。中間の脚部９に設けられた床部材保持部９ａは、２本の床部材１１をつなぎ合わせて固定支持するようになっている。尚、連結パネルの設置数は任意に選ぶことができる。例えば、図９においては手前の連結パネルが
４枚（Ｐ１〜Ｐ４）であるのに対して、後方の連結パネルは２枚（Ｐ１，Ｐ２）と高さを変えた設置例を示している。
【００４２】
図１０は、最上段の連結パネルＰ３の支柱１の上端に設けられた嵌合孔１ａに屋根材１４の四隅近傍にねじ止めされた取付金具１３を嵌め込んで屋根材１４が組み付けられることを示す説明図である。図１１に示すように、取付金具１３は、連結突部２と同様の先細り状のテーパー面１３ａを有している。このテーパー面１３ａには、第１貫通孔１ｂに連通する第２貫通孔１３ｂが設けられている。また、テーパー面１３ａに連続する取付面１３ｃには、ねじ孔１３ｄが設けられている。取付屋根材１４にねじ止めされた取付金具１３を連結パネルＰ１の支柱１の嵌合孔１ａに嵌め込んだ後、抜け止めピン（若しくはねじ）を第１貫通孔１ｂ、第２貫通孔１３ｂに嵌め込むことで屋根材１４が組み付けられる。一対の床部材１１には、薪等を長手方向両側を支持するように載置される（図６（Ａ）参照）。これにより、床部材１１に薪等の収納物を収納して風雨にさらされずかつ通気性を確保したまま収納することができる。
【符号の説明】
【００４３】
Ｐ  連結パネル  １  支柱  １ａ，５ａ，５ｃ，５ｄ，９ｂ  嵌合孔  １ｂ，１ｃ  第１貫通孔  ２  連結突部  ２ａ，１３ａ  テーパー面  ２ｂ  平行面  ２ｃ，２ｄ，１３ｂ  第２貫通孔  ３  ルーバー  ３ａ  パネル部  ３ｂ  溶接部  ４  抜け止めピン  ５  連結脚部  ５ｂ  脚部底部  ６  連結部材  ６ａ  嵌合突部  ７  中間金具  ７ａ  貫通孔  ８  ゴム部材  ９  脚部  ９ａ  床部材保持部  １０  脚連結部  １１  床部材  １２  物置棚  １３  取付金具  １３ｃ  取付面  １３ｄ  ねじ孔  １４  屋根材
【図１】
2013060727.tif 000003
【図２】
2013060727.tif 000004
【図３】
2013060727.tif 000005
【図４】
2013060727.tif 000006
【図５】
2013060727.tif 000007
【図６】
2013060727.tif 000008
【図７】
2013060727.tif 000009
【図８】
2013060727.tif 000010
【図９】
2013060727.tif 000011
【図１０】
2013060727.tif 000012
【図１１】
2013060727.tif 000013